(57)【特許請求の範囲】
【請求項１】
発着信機能と着信報知機能とを有する携帯通信端末であって、
発信毎に、当該発信後の着信報知態様を決定するための所定条件を当該発信が満たすか否かを示す情報と、発信先と発信時間とを含む発信履歴情報を記憶する発信履歴記憶手段と、
着信毎に、発信元と着信時間とを含む着信履歴情報を記憶する着信履歴記憶手段と、
着信毎に、当該着信が、当該着信の発信元と同一の通信相手への前記所定条件を満たす発信後の当該通信相手からの最初の着信であるか否かを、前記発信履歴情報と前記着信履歴情報とに基づいて判定する第１判定手段と、
前記第１判定手段が肯定的な判定をした場合に、第１の態様で報知し、前記第１判定手段が否定的な判定をした場合に、前記第１の態様とは異なる第２の態様で報知する報知手段と
を備え、
前記第１判定手段が判定に用いる前記発信履歴情報は、判定対象の着信の発信元と同一の通信相手への前記所定条件を満たす所定時間内の複数の発信の発信履歴情報である
ことを特徴とする携帯通信端末。
【請求項２】
更に、前記第１判定手段が判定に用いる前記発信履歴情報は、発信時間から判定対象である着信の着信時間までの経過時間が所定時間以内である発信の発信履歴情報である
ことを特徴とする請求項１記載の携帯通信端末。
【請求項３】
前記所定条件を満たす発信とは、電話の発信であって、当該電話の発信についての発信先から当該電話の発信に応答したことを示す応答信号を受信していない発信である
ことを特徴とする請求項１記載の携帯通信端末。
【請求項４】
前記所定条件を満たす発信とは、電話の発信であって、当該電話の発信に基づき開始された発信先との通信に対し、課金が開始されたことを示す課金信号を受信していない発信である
ことを特徴とする請求項１記載の携帯通信端末。
【請求項５】
前記携帯通信端末は、更に、通信相手毎に、電話番号とメールアドレスとを対応付けて記憶する連絡先情報記憶手段を備え、
前記第１判定手段は、前記判定対象である着信の発信元を示す電話番号又はメールアドレスと前記連絡先情報記憶手段により対応付けて記憶されている電話番号又はメールアドレスが発信先として前記発信履歴情報に含まれている場合に、当該発信元と同一の通信相手への発信があるものとして前記判定を行う
ことを特徴とする請求項１記載の携帯通信端末。
【請求項６】
前記着信履歴記憶手段は、電話の着信毎に前記着信履歴情報に、更に、当該着信に対し応答するためのユーザ操作を受け付けたか否かを示す情報を含ませて記憶し、
前記第１判定手段が判定に用いる前記着信履歴情報は、前記ユーザ操作を受け付けたことを示す情報が含まれていない着信履歴情報である
ことを特徴とする請求項１記載の携帯通信端末。
【請求項７】
前記携帯通信端末は、更に、
通信相手毎に、連絡先を記憶する連絡先情報記憶手段と、
着信毎に、当該着信の発信元と同一の通信相手の連絡先が前記連絡先情報記憶手段により記憶されているか否かを判定する第２判定手段とを備え、
前記第１判定手段は、前記第２判定手段が肯定的な判定を行った場合にのみ、判定対象の着信が前記最初の着信であるか否かの判定を行い、
前記報知手段は、更に、前記第２判定手段が否定的な判定をした場合に、前記第２の態様で報知する
ことを特徴とする請求項１記載の携帯通信端末。
【請求項８】
前記連絡先情報記憶手段により記憶されている連絡先には、所定のグループに属するものが含まれており、
前記第２判定手段による判定は、前記連絡先情報記憶手段により記憶されている前記所定のグループに属する連絡先の中に、判定対象となる着信の発信元と同一の通信相手の連絡先が記憶されているか否かを判定することにより行う
ことを特徴とする請求項７記載の携帯通信端末。
【発明の詳細な説明】
【技術分野】
【０００１】
本発明は、携帯電話等の携帯通信端末に関し、特に、他の通信機器からの着信の報知技術に関する。
【背景技術】
【０００２】
携帯電話機等の携帯通信端末から電話を発信した際に通信相手が応答しない場合や、メールを通信相手に発信した場合など、その通信相手からの折り返しの着信を待っている場合にあった着信が、折り返しの着信を待っている通信相手からの着信か否かを、携帯通信端末の表示画面を見ることなく容易に判断できるようにしたいという要望がある。
【０００３】
この要望に対しては、予め、通信相手毎に異なる着信音を設定しておき、着信音により、折り返しの着信を待っている通信相手からの着信であるかをユーザが判断する方法が考えられる。しかし、この方法では、通信相手毎に異なる着信音を設定するため、ユーザに、設定のための過度な操作負担を強いることになり、また、ユーザは、どの通信相手に対しどの着信音を設定したかを覚えておかなければならないという問題がある。
【０００４】
一方、通信相手毎に異なる着信音を設定することなく、折り返しの着信を待っている通信相手からの着信であるかを発信履歴に基づき判定し、判定結果に応じて着信音等を変えて報知する技術が知られている（例えば、特許文献１）。
【０００５】
以下、特許文献１に係る通信端末装置について、説明する。
【０００６】
特許文献１に係る通信端末装置は、電話を発信した場合に、通信相手が応答しないときは、その通信相手の電話番号を発信履歴に記録しておく。また、電話を着信した場合に、その発信元の電話番号が発信履歴に記録されているかを照合し、記録されているときは、折り返しの電話着信であるとして、折り返し以外の電話着信の際とは、異なる着信音等で報知する。
【０００７】
これにより、特許文献１に係る通信端末装置のユーザは、折り返しの電話着信か否かを、表示画面を見ることなく容易に判断できる。
【特許文献１】特開２００１−２４５０１９号公報
【発明の開示】
【発明が解決しようとする課題】
【０００８】
しかしながら、特許文献１に係る通信端末装置は、折り返しの電話着信であるかを発信履歴のみに基づき判定するため、一度、折り返しの電話着信があり、もはやその通信相手からの着信を待っていない場合にあった着信に対しても、通常の着信の際とは異なる着信音等で報知してしまう可能性がある。
【０００９】
そこで、本発明は係る必要性に鑑みてなされたものであり、折り返しの着信を待っている通信相手からの着信に対し、他の着信と区別して報知可能な携帯通信端末を提供することを目的とする。
【課題を解決するための手段】
【００１０】
上記課題を解決するために、本発明に係る携帯通信端末は、発着信機能と着信報知機能とを有する携帯通信端末であって、発信毎に、当該発信後の着信報知態様を決定するための所定条件を当該発信が満たすか否かを示す情報と、発信先と発信時間とを含む発信履歴情報を記憶する発信履歴記憶手段と、着信毎に、発信元と着信時間とを含む着信履歴情報を記憶する着信履歴記憶手段と、着信毎に、当該着信が、当該着信の発信元と同一の通信相手への前記所定条件を満たす発信後の当該通信相手からの最初の着信であるか否かを、前記発信履歴情報と前記着信履歴情報とに基づいて判定する第１判定手段と、前記第１判定手段が肯定的な判定をした場合に、第１の態様で報知し、前記第１判定手段が否定的な判定をした場合に、前記第１の態様とは異なる第２の態様で報知する報知手段とを備えることを特徴とする。
【００１１】
ここで、発信とは、電話の発信又はメールの発信をいい、着信とは電話の着信又はメールの着信をいう。また、所定条件を満たす発信とは、メール発信や、発信先が応答しなかった電話発信をいう。
【発明の効果】
【００１２】
上述の構成を備える本発明に係る携帯通信端末は、自機が行った所定条件を満たす発信の発信先と同一の通信相手からのその発信後の最初の着信があると、第１の態様で報知し、それ以外の着信があると、第２の態様で報知するため、自機が行った所定条件を満たす発信の発信先と同一の通信相手からの最初の着信を、他の着信と区別して報知することができる。
【００１３】
異なる態様で報知する例として、異なる着信音や着信メロディーで報知する場合や、異なる振動パターンで報知する場合や、ランプの点灯パターンや色や点灯速度を変えて報知する場合や、同一の着信音等で再生速度や音量や再生時間や調を変えて報知する場合や、これらの態様の異なる組み合わせパターンで報知（一方は着信音のみで報知し、もう一方は着信音と振動とで報知する等）する場合などが挙げられる。
【００１４】
また、前記所定条件を満たす発信とは、電話の発信であって、当該電話の発信についての発信先から当該電話の発信に応答したことを示す応答信号を受信していない発信であることとしてもよい。
【００１５】
また、前記所定条件を満たす発信とは、電話の発信であって、当該電話の発信に基づき開始された発信先との通信に対し、課金が開始されたことを示す課金信号を受信していない発信であることとしてもよい。
【００１６】
これにより、本発明に係る携帯通信端末は、自機が行った電話の発信に対し、応答しなかった通信相手から、その発信後の最初の着信があると、他の着信とは異なる報知態様で報知する。従って、自機からの電話の発信に対して通信相手が応答せず、本発明に係る携帯通信端末のユーザが、その通信相手からの折り返しの着信を待っている場合にあった着信が、その待っている着信か否かを、本発明に係る携帯通信端末のユーザは、携帯通信端末の表示画面等によらず、報知態様によって判断することができる。
【００１７】
また、前記携帯通信端末は、音声認識機能を有するものであり、前記所定条件を満たす発信とは、電話の発信であって、当該電話の発信についての発信先から、当該発信先が当該電話の発信に応答できないことを示す所定の音声メッセージを受信した発信であることとしてもよい。
【００１８】
これにより、本発明に係る携帯通信端末は、自機が行った電話の発信に対し、その電話の発信に応答できないことを示す所定の音声メッセージ（例えば、いわゆる留守番電話の応答メッセージ等）を送信した通信相手から、その発信後の最初の着信があると、他の着信とは異なる報知態様で報知する。従って、自機からの電話の発信に対して通信相手が応答せず、本発明に係る携帯通信端末のユーザが、その通信相手からの折り返しの着信を待っている場合にあった着信が、その待っている着信か否かを、本発明に係る携帯通信端末のユーザは、携帯通信端末の表示画面等によらず、報知態様によって判断することができる。
【００１９】
また、前記所定条件を満たす発信とは、メールの発信であることとしてもよい。
【００２０】
これにより、本発明に係る携帯通信端末は、自機が行ったメールの発信先と同一の通信相手から、そのメール発信後の最初の着信があると、他の着信とは異なる報知態様で報知する。従って、本発明に係る携帯通信端末のユーザは、自機から発信したメールの返事となり得る着信を待っている場合にあった着信が、その待っている着信であるか否かを、報知態様によって判断することができる。
【００２１】
また、前記携帯通信端末は、電話の発信処理中に当該発信処理を中止するためのユーザ操作の受付が可能なものであり、前記所定条件を満たす発信とは、電話の発信であって、当該電話の発信に関する処理開始後所定時間以内に、前記ユーザ操作を受け付けなかった発信であることとしてもよい。
【００２２】
これにより、本発明に係る携帯通信端末は、電話の発信処理開始後所定時間以内に、発信処理を中止するためのユーザ操作を受け付けた場合には、その発信の発信先と同一の通信相手からの発信後の最初の着信があっても、他の着信と同様の報知態様で報知する。従って、本発明に係る携帯通信端末のユーザが、例えば、意図しない通信相手に誤って発信してしまった場合にも、その誤発信後にその通信相手からの着信があった際に、連絡を待っている通信相手からの着信であると混同しないで済む。
【００２３】
また、前記携帯通信端末は、更に、通信相手毎に、電話番号とメールアドレスとを対応付けて記憶する連絡先情報記憶手段を備え、前記第１判定手段は、判定対象である着信の発信元を示す電話番号又はメールアドレスと前記連絡先情報記憶手段により対応付けて記憶されている電話番号又はメールアドレスが発信先として前記発信履歴情報に含まれている場合に、当該発信元と同一の通信相手への発信があるものとして前記判定を行うこととしてもよい。
【００２４】
これにより、本発明に係る携帯通信端末は、例えば着信の種類がメールであり、発信の種類が電話である場合に、着信の発信元のメールアドレスと連絡先情報記憶手段より対応付けられた電話番号が、発信履歴情報に含まれているときは、発信元と同一の通信相手への発信があるとして判定を行う。従って、本発明に係る携帯通信端末のユーザは、発着信の種類が異なる場合でも、所定条件を満たす発信の発信先と同一の通信相手からの着信を待っている場合にあった着信が、その待っている着信か否かを、携帯通信端末の表示画面等によらず、報知態様によって判断することができる。
【００２５】
また、前記第１判定手段による前記所定条件を満たす発信があることの判定は、判定対象の着信の発信元と同一の通信相手への前記所定条件を満たす発信が複数あるか否かを判定することにより行うこととしてもよい。
【００２６】
これにより、本発明に係る携帯通信端末は、所定条件を満たす複数の発信後に、その発信先と同一の通信相手からの最初の着信があると、他の着信とは異なる報知態様で報知する。従って、例えば、本発明に係る携帯通信端末のユーザが、急用等で同じ通信相手に対し、所定条件を満たす発信（例えば、通信相手が応答しなかった発信やメールの発信）を複数回行い、その発信の発信先と同一の通信相手からの着信を待っている場合にあった着信が、その待っている着信か否かを、携帯通信端末の表示画面等によらず、報知態様によって判断することができる。
【００２７】
また、前記第１判定手段が判定に用いる前記発信履歴情報は、新しい順に所定数分の発信履歴情報であることとしてもよい。
【００２８】
これにより、本発明に係る携帯通信端末は、所定数として比較的小さい値（例えば３）を用いた場合には、比較的最近行った発信の発信履歴情報に基づいて判定を行うので、発信から相当期間経過した後にあった着信に対し、他の着信とは異なる報知態様で報知してしまう可能性を低減できる。発信から相当期間経過しているような場合には、別の方法、例えば、その通信相手に直接会って要件を伝えている場合もある。このように、発信から相当期間経過し、もはやその発信の発信先と同一の通信相手からの着信を待っていないと考えられる場合にあった着信について、本発明に係る携帯通信端末のユーザが、連絡を待っている通信相手からの着信であると混同してしまう可能性を低減できる。
【００２９】
また、前記第１判定手段が判定に用いる前記発信履歴情報は、発信時間から判定対象である着信の着信時間までの経過時間が所定時間以内である発信の発信履歴情報であることとしてもよい。
【００３０】
これにより、本発明に係る携帯通信端末は、所定時間として比較的短い時間（例えば２４時間）を用いた場合には、発信から所定時間以上経過し、もはや発信の発信先と同一の通信相手からの着信を待っていないと考えられる場合にあった着信について、他の着信とは異なる報知態様で報知してしまうことを防止できるので、本発明に係る携帯通信端末のユーザが、連絡を待っている通信相手からの着信であると混同しないで済む。
【００３１】
また、前記着信履歴記憶手段は、電話の着信毎に前記着信履歴情報に、更に、当該着信に対し応答するためのユーザ操作を受け付けたか否かを示す情報を含ませて記憶し、前記第１判定手段が判定に用いる前記着信履歴情報は、前記ユーザ操作を受け付けたことを示す情報が含まれていない着信履歴情報であることとしてもよい。
【００３２】
これにより、本発明に係る携帯通信端末は、着信の発信元と同一の通信相手への前記所定条件を満たす発信後の、最初の着信及びそれに後続する着信において自機のユーザが応答しなかった場合には、その後の同一の通信相手からの着信に対しても、最初の着信と同様の態様で報知するので、自機のユーザが最初の着信に応答できなかった場合や、気づかなかった場合に、再度、他の着信と区別して報知することができる。
【００３３】
また、前記着信履歴記憶手段は、電話の着信毎に前記着信履歴情報に、更に、当該着信に対し応答するためのユーザ操作を受け付けたか否かを示す情報を含ませて記憶し、前記携帯通信端末は、更に着信毎に、当該着信が、当該着信の発信元と同一の通信相手への前記所定条件を満たす発信後の、当該発信元と同一の通信相手からの最初の着信の次の着信であり、かつ、当該最初の着信の着信履歴情報に、前記ユーザ操作を受け付けたことを示す情報が含まれているか否かを、前記発信履歴情報と前記着信履歴情報とに基づいて判定する第２判定手段を備え、前記第１判定手段は、前記第２判定手段が否定的な判定を行った場合にのみ、判定対象の着信が前記最初の着信であるか否かの判定を行い、前記報知手段は、更に前記第２判定手段が肯定的な判定をした場合に、前記第１の態様で報知することとしてもよい。
【００３４】
これにより、本発明に係る携帯通信端末は、着信の発信元と同一の通信相手への前記所定条件を満たす発信後の最初の着信に対し、自機のユーザが応答しなかった場合に、その着信を、最初の着信とも異なる態様で報知するので、着信の際、ユーザの注意を引くことができる。
【００３５】
また、前記携帯通信端末は、更に、通信相手毎に、連絡先を記憶する連絡先情報記憶手段と、着信毎に、当該着信の発信元と同一の通信相手の連絡先が前記連絡先情報記憶手段により記憶されているか否かを判定する第２判定手段とを備え、前記第１判定手段は、前記第２判定手段が肯定的な判定を行った場合にのみ、判定対象の着信が前記最初の着信であるか否かの判定を行い、前記報知手段は、更に、前記第２判定手段が否定的な判定をした場合に、前記第２の態様で報知することとしてもよい。
【００３６】
これにより、本発明に係る携帯通信端末は、連絡先記憶手段により記憶されている連絡先以外の通信相手からの着信に対しては、他の着信と同じ態様で報知するので、自機のユーザが他の着信とは異なる報知態様での報知を許可する連絡先を予め連絡先記憶手段により記憶させておいた場合には、ユーザが許可しない連絡先からの着信に対して、他の着信と異なる報知態様での報知を防ぐことができる。
【００３７】
また、前記連絡先情報記憶手段により記憶されている連絡先には、所定のグループに属するものが含まれており、前記第２判定手段による判定は、前記連絡先情報記憶手段により記憶されている前記所定のグループに属する連絡先の中に、判定対象となる着信の発信元と同一の通信相手の連絡先が記憶されているか否かを判定することにより行うこととしてもよい。
【００３８】
これにより、本発明に係る携帯通信端末は、所定のグループに属する連絡先以外の通信相手からの着信に対しては、他の着信と同じ態様で報知するので、自機のユーザが他の着信とは異なる報知態様での報知を許可する連絡先を、予め所定のグループに属するよう設定しておいた場合には、ユーザが許可しない連絡先からの着信に対して、他の着信と異なる報知態様での報知を防ぐことができる。
【００３９】
また、前記携帯通信端末は、更に、通信相手毎に、連絡先と当該連絡先に対する発信回数とを対応付けて記憶する連絡先情報記憶手段と、着信毎に、各連絡先の発信回数を降順に並べた場合における当該着信の発信元と同一の通信相手の連絡先と対応付けて記憶された前記発信回数の順位が、所定順位内であるか否かを判定する第２判定手段を備え、前記第１判定手段は、前記第２判定手段が肯定的な判定を行った場合にのみ、判定対象の着信が前記最初の着信であるか否かの判定を行い、前記報知手段は、更に、前記第２判定手段が否定的な判定をした場合に、前記第２の態様で報知することとしてもよい。
【００４０】
これにより、本発明に係る携帯通信端末は、所定順位として連絡先記憶手段により記憶されている連絡先の数よりも比較的小さい値（例えば３）を用いた場合には、比較的発信頻度の低い通信相手からの着信に対しては、他の着信と同じ態様で報知するので、比較的発信頻度の低い通信相手、例えば本発明に係る携帯通信端末のユーザとあまり親しくない通信相手からの着信に対して、他の着信と異なる報知態様で報知してしまう可能性を低減できる。
【発明を実施するための最良の形態】
【００４１】
以下、本発明に係る携帯通信端末の実施形態としての携帯電話機について説明する。
≪実施の形態１≫
＜概要＞
実施の形態１に係る携帯電話機は、電話又はメールによる発着信が可能な従来の携帯電話機を改良したものであり、自機の発信に対する折り返しの着信を待っている通信相手から、その発信後の最初の着信があった場合に、折り返しの着信以外の他の着信（以下、「通常の着信」という）とは異なる態様で着信を報知するものである。
【００４２】
この自機の発信に対する折り返しの着信を待っている通信相手としては、自機からの電話の発信に対して応答しなかった通信相手や自機からのメールの発信先である通信相手がある。本携帯電話機は、着信があった場合に、このような通信相手からの最初の着信であるかを、発着信の際に記録する履歴情報に基づいて判定し、判定結果に応じた態様で着信を報知する。
【００４３】
従って、本携帯電話機のユーザは、折り返しの着信を待っている通信相手からの着信であるか否かを容易に判断できるようになる。
【００４４】
なお、判定結果に応じた態様での報知としては、異なる着信音、異なる振動パターン、異なる発光パターン等様々な態様での報知が考えられるが、本実施の形態では、異なる着信音で報知するものとして説明する。
＜構成＞
図１は、本発明の実施の形態１に係る携帯電話機１００の機能ブロック図である。
【００４５】
携帯電話機１００は、従来の携帯電話機とハードウェア構成に関して基本的に同様であり、スピーカやマイク等のほか、プロセッサとメモリとを含んで構成される。
【００４６】
携帯電話機１００は、機能面においては、同図に示すとおり、記憶部１１０、計時部１２０、操作部１３０、表示部１４０、音出力部１５０、無線通信部１６０、及び制御部１７０を備える。なお、同図は、本発明の特徴を実現する上で重要な各機能構成要素の関係を示している。
【００４７】
ここで、記憶部１１０は、アドレス帳領域１１１、電話発信履歴領域１１２、メール発信履歴領域１１３、電話着信履歴領域１１４、メール着信履歴領域１１５を含むメモリ領域である。
【００４８】
アドレス帳領域１１１は、図２に示すアドレス帳１０００を、電話発信履歴領域１１２は、図３（ａ）に示す電話発信履歴２０００を、メール発信履歴領域１１３は、同図（ｂ）に示すメール発信履歴２１００を、電話着信履歴領域１１４は、図４（ａ）に示す電話着信履歴２２００を、メール着信履歴領域１１５は、同図（ｂ）に示すメール着信履歴２３００を記憶するためのメモリ領域である。
【００４９】
詳細は後述するが、アドレス帳１０００は、通信相手となる連絡先毎に、名称と電話番号やＥメールアドレスを対応付けたデータである。また、電話発信履歴２０００は、発信毎に、発信時間と通信相手と電話発信に対し通信相手が応答したか否かを示す不在情報とを、メール発信履歴２１００は、発信毎に、発信時間と通信相手とを対応付けたデータである。また、電話着信履歴２２００及びメール着信履歴２３００は、着信毎に着信時間と通信相手を対応付けたデータである。
【００５０】
計時部１２０は、計時機構（時計）であり、現在時刻を計時する機能を有する。
【００５１】
操作部１３０は、いわゆるテンキー等のキー群やボタン群を含むものであり、ユーザ操作の内容を制御部１７０に伝達する回路であり、携帯電話機１００が有する各種機能の選択や、メール本文の入力等に使用される。
【００５２】
表示部１４０は、液晶ディスプレイ（ＬＣＤ：Liquid Crystal Display）を含み、制御部１７０の指示に応じて、文字やアイコン等を含む各種画像をＬＣＤに表示する回路である。
【００５３】
音出力部１５０は、スピーカであり、制御部１７０の指示に応じて、着信時に音を出力する機能を有する。
【００５４】
無線通信部１６０は、アンテナを備え、基地局との間で電波の送受信を行う回路であり、基地局を介して他の携帯電話機等の通信機器と通信する機能を有する。
【００５５】
また、制御部１７０は、携帯電話機１００全体の制御を行う機能を有し、ユーザインタフェース制御部１７１、発信処理部１７２、発信履歴更新部１７３、着信処理部１７４、判定部１７５、着信履歴更新部１７６、報知制御部１７７を備える。制御部１７０の各機能は、メモリに記憶されているプログラムをプロセッサに実行させることにより、ソフトウェア的に実現される。
【００５６】
ここで、ユーザインタフェース制御部１７１は、操作部１３０から伝達されたユーザ操作の内容に応じて、文字やメニュー画像等を表示部１４０に表示させる機能を有する。
【００５７】
また、ユーザインタフェース制御部１７１は、ユーザ操作のうち、特に、発信を要求する操作がなされた場合には、発信に必要な情報を発信処理部１７２に伝達する機能を有する。具体的には、発信の種類（電話又はメール）を示す情報と、アドレス帳１０００から選択された通信相手を示す電話番号又はＥメールアドレスとを発信処理部１７２に伝達し、メール発信の場合には、更に、操作部１３０から伝達されたメールの内容を発信処理部１７２に伝達する。また、上述の発信を要求する操作の後、オンフックする操作（発信処理を中止する操作又は通話後に電話を切る操作）がなされた場合には、その旨の情報を発信処理部１７２に伝達する機能を有する。
【００５８】
なお、ユーザインタフェース制御部１７１は、アドレス帳１０００へ連絡先を登録するユーザ操作がなされた場合に、ユーザの入力に応じて連絡先を生成して記憶部１１０に記憶させる機能も有する。
【００５９】
発信処理部１７２は、ユーザインタフェース制御部１７１から伝達された情報に基づき、無線通信部１６０を介して電話又はメールを発信し、また、電話発信に対し、通信相手が応答したか否かを判定する機能を有する。
【００６０】
電話発信に対し、通信相手が応答したか否かを判定する方法として、例えば、応答信号や課金信号の受信の有無により判定する方法が考えられる。着信の際、着信側の電話機のユーザが電話に出る操作（オフフック操作）を行うと、着信側の電話機から発信側の電話機に応答信号が送信され、また、その後、確立した通信に対し課金が開始される際に、基地局内のサーバから発信側の電話機に課金信号が送信されるため、発信後、ユーザインタフェース制御部１７１からオンフックする操作がなされた旨の情報が伝達されるまでに、これらの信号を受信しなかった場合には、通信相手が応答しなかったと判定することができる。以下では、ユーザインタフェース制御部１７１からオンフックする操作がなされた旨の情報が伝達されるまでに、応答信号を受信したか否かにより通信相手が応答したか否かを判定するものとして説明する。
【００６１】
また、発信処理部１７２は、電話又はメールを発信すると、計時部１２０から取得した発信時間と、電話番号又はＥメールアドレスを発信履歴更新部１７３に伝達し、電話発信の場合には、更に、通信相手が応答したか否かを上述の方法により判定した判定結果である不在情報を発信履歴更新部１７３に伝達する。
【００６２】
発信履歴更新部１７３は、発信処理部１７２から伝達された情報を対応付けた履歴情報を、発信の種類（電話発信又はメール発信）に応じて、記憶部１１０の電話発信履歴領域１１２、又はメール発信履歴領域１１３に記録する機能を有する。
【００６３】
なお、発信履歴更新部１７３は、発信処理部１７２から伝達された電話番号又はＥメールアドレスそのものを記録してもよいが、本実施の形態では、伝達された電話番号又はＥメールアドレスが示す通信相手を記録するものとする。電話番号又はＥメールアドレスが示す通信相手は、記憶部１１０のアドレス帳領域１１１に記録されているアドレス帳１０００に基づいて特定するものとする。ただし、伝達された電話番号又はＥメールアドレスが示す通信相手が、アドレス帳１０００に登録されていない場合には、伝達された電話番号又はＥメールアドレスそのものを記録するものとする。
【００６４】
着信処理部１７４は、無線通信部１６０を介して受信した着信信号から、発信元の電話番号又はＥメールアドレスを特定し、特定した電話番号又はＥメールアドレスから更に通信相手を特定する機能を有する。
【００６５】
発信元の電話番号の特定は、電気通信事業者（電話事業者）により提供されている、発信側の電話番号を着信側に通知する発信者情報通知サービスを利用して行い、また、発信元のＥメールアドレスの特定は、メールのヘッダ部分に含まれるＥメールアドレスを抽出することにより行う。また、通信相手の特定は、発信処理部１７２と同様、記憶部１１０のアドレス帳領域１１１に記録されているアドレス帳１０００に基づいて行う。
【００６６】
通信相手を特定すると、着信処理部１７４は、計時部１２０から取得した着信時間と通信相手とを判定部１７５と着信履歴更新部１７６とに伝達すると共に、着信履歴更新部１７６へは更に、着信の種類（電話着信又はメール着信）を示す情報を伝達する。
【００６７】
判定部１７５は、記憶部１１０の各発信履歴領域に記録されている各発信履歴と各着信履歴領域に記憶されている各着信履歴と、着信処理部１７４から伝達された着信時間と通信相手とに基づいて、着信が、折り返しの着信か否かを判定し、判定結果を報知制御部１７７に伝達する機能を有する。折り返しの着信であるか否かの判定方法については、後に、図６に示すフローチャートを用いて具体的に説明する。
【００６８】
着信履歴更新部１７６は、着信処理部１７４から伝達された情報を対応付けた履歴情報を、着信処理部１７４から伝達された着信の種類（電話着信又はメール着信）を示す情報に応じて、記憶部１１０の電話着信履歴領域１１４、又はメール着信履歴領域１１５に記録する機能を有する。
【００６９】
報知制御部１７７は、判定部１７５から伝達された、折り返しの着信であるか否かの判定結果に基づいて、異なる着信音で報知するよう、音出力部１５０を制御する機能を有する。
＜データ＞
以下、携帯電話機１００が使用するデータについて説明する。
【００７０】
＜アドレス帳１０００＞
以下、記憶部１１０のアドレス帳領域１１１に記録されているアドレス帳１０００について説明する。
【００７１】
アドレス帳１０００は、通信相手となる連絡先を記録したデータであり、ユーザインタフェース制御部１７１がユーザ操作に応じて、通信相手の連絡先（電話番号又はＥメールアドレス）を選択する際に参照され、また、発信履歴更新部１７３と着信処理部１７４とが、通信相手を特定する際に参照される。
【００７２】
図２は、アドレス帳１０００のデータ構成及び内容例を示す図である。
【００７３】
同図に示すように、アドレス帳１０００は、通信相手となる連絡先毎に、名称１００１と電話番号１００２とＥメールアドレス１００３とが対応付けて記録されている。
【００７４】
ここで、名称１００１は、電話やメールの通信相手を示す氏名等の名称であり、電話番号１００２は、その通信相手が所有する電話機に割り振られた電話番号であり、Ｅメールアドレス１００３は、その通信相手が所有するＥメールアドレスである。
【００７５】
同図は、例えば、名称が「井上一子」である人が所有する携帯電話機の電話番号は「０９０３４５６７８９０」であり、Ｅメールアドレスが「ｉｃｈｉｋｏ＠ａａａ．ｃｏｍ」であることを示している。
【００７６】
なお、アドレス帳１０００への新たな連絡先の登録、登録済みの連絡先の更新や削除は、ユーザインタフェース制御部１７１により、携帯電話機１００のユーザによる操作部１３０への操作に基づいて行われる。
【００７７】
＜発信履歴＞
以下、記憶部１１０の電話発信履歴領域１１２に記録されている電話発信履歴２０００とメール発信履歴領域１１３に記録されているメール発信履歴２１００とについて説明する。
【００７８】
電話発信履歴２０００は、電話発信に関する履歴情報を記録したデータであり、メール発信履歴２１００は、メール発信に関する履歴情報を記録したデータであり、それぞれ発信履歴更新部１７３により更新され、折り返しの着信であるか否かを判定するために判定部１７５により参照される。
【００７９】
まず、電話発信履歴２０００について説明する。
【００８０】
図３（ａ）は、電話発信履歴２０００のデータ構成及び内容例を示す図である。
【００８１】
同図に示すように、電話発信履歴２０００は、発信毎に、発信時間２００１と通信相手２００２と不在情報２００３とが対応付けて記録されている。
【００８２】
ここで、発信時間２００１は、電話の発信時間であり、通信相手２００２は、発信先電話番号と対応するアドレス帳１０００の名称であり、不在情報２００３は、その発信における通信相手からの応答の有無を示す情報である。不在情報２００３は、応答の有無を区別可能なデータであればいずれのデータ形式を採用してもよいが、本実施の形態では、応答がなかった場合を「１」とし、応答があった場合を「０」として説明する。
【００８３】
同図は、例えば、発信時間が「２００８／１／９  ９：００」である電話発信の通信相手は「井上一子」であり、不在情報は「１」、即ちこの発信に対し通信相手（井上一子）からの応答がなかったことを示している。
【００８４】
次に、メール発信履歴２１００について説明する。
【００８５】
図３（ｂ）は、メール発信履歴２１００のデータ構成及び内容例を示す図である。
【００８６】
同図に示すように、メール発信履歴２１００は、発信毎に、発信時間２１０１と通信相手２１０２が対応付けて記録されている。
【００８７】
ここで、発信時間２１０１と通信相手２１０２とは、電話発信履歴２０００の発信時間２００１と通信相手２００２とをそれぞれメール発信に関するものに替えたものであるため、個々の説明は省略するが、同図は、例えば、発信時間が「２００８／１／９  ９：３０」であるメール発信の通信相手は「斉藤二郎」であることを示している。
【００８８】
＜着信履歴＞
以下、記憶部１１０の電話着信履歴領域１１４に記録されている電話着信履歴２２００とメール着信履歴領域１１５に記録されているメール着信履歴２３００とについて説明する。
【００８９】
電話着信履歴２２００は、電話着信に関する履歴情報を記録したデータであり、メール着信履歴２３００は、メール着信に関する履歴情報を記録したデータであり、それぞれ発信履歴更新部１７３により更新され、折り返しの着信であるか否かを判定するために判定部１７５により参照される。
【００９０】
まず、電話着信履歴２２００について説明する。
【００９１】
図４（ａ）は、電話着信履歴２２００のデータ構成及び内容例を示す図である。
【００９２】
同図に示すように、電話着信履歴２２００は、着信毎に、着信時間２２０１と通信相手２２０２とが対応付けて記録されている。
【００９３】
ここで、着信時間２２０１と通信相手２２０２とは、電話発信履歴２０００の発信時間２００１と通信相手２００２とをそれぞれ着信に関するものに替えたものであるため、個々の説明は省略するが、同図は、例えば、着信時間が「２００８／１／９  ９：１０」である電話着信の通信相手は「井上一子」であることを示している。
【００９４】
次に、メール着信履歴２３００について説明する。
【００９５】
図４（ｂ）は、メール着信履歴２３００のデータ構成及び内容例を示す図である。
【００９６】
同図に示すように、メール着信履歴２３００は、着信毎に、着信時間２３０１と通信相手２３０２とが対応付けて記録されている。
【００９７】
ここで、着信時間２３０１と通信相手２３０２とは、電話着信履歴２２００の着信時間２２０１と通信相手２２０２とをそれぞれメール着信に関するものに替えたものであるため、個々の説明は省略するが、同図は、例えば、着信時間が「２００８／１／９  ９：４５」であるメール着信の通信相手は「斉藤二郎」であることを示している。
＜動作＞
次に、上記構成を備える携帯電話機１００の動作について、図５及び図６を用いて説明する。
【００９８】
＜発信制御処理＞
図５は、携帯電話機１００による電話又はメールの発信制御処理手順を示すフローチャートである。
【００９９】
発信処理部１７２は、ユーザインタフェース制御部１７１から伝達された、発信の種類を示す情報に基づき、電話発信及びメール発信のうちのいずれの発信かを判定し（ステップＳ１０）、メール発信である場合には（ステップＳ１０：メール）、ユーザインタフェース制御部１７１から伝達されたＥメールアドレスと入力されたメールの内容とに基づき、メール発信を行う（ステップＳ１１）。
【０１００】
ステップＳ１１でメール発信を行うと、発信処理部１７２は、計時部１２０から取得した発信時間と、ユーザインタフェース制御部１７１から伝達されたＥメールアドレスとを発信履歴更新部１７３に伝達し（ステップＳ１２）、後述するステップＳ１８へ進む。
【０１０１】
ステップＳ１０において、電話発信である場合には（ステップＳ１０：電話）、発信処理部１７２は、ユーザインタフェース制御部１７１から伝達された電話番号に基づき、電話発信を行う（ステップＳ１３）。
【０１０２】
ステップＳ１３で行った電話発信に対し、発信処理部１７２は、通信相手から応答があったか否かを判定し（ステップＳ１４）、通信相手からの応答があった場合、即ちユーザインタフェース制御部１７１からオンフックする操作がなされた旨の情報が伝達されるまでに、応答信号を受信した場合には（ステップＳ１４：Ｙ）、発信処理部１７２は不在情報を「０」とする（ステップＳ１５）。
【０１０３】
ステップＳ１４において、通信相手からの応答がなかった場合、即ちユーザインタフェース制御部１７１からオンフックする操作がなされた旨の情報が伝達されるまでに、応答信号を受信しなかった場合には（ステップＳ１４：Ｎ）には、発信処理部１７２は不在情報を「１」とする（ステップＳ１６）。
【０１０４】
発信処理部１７２は、計時部１２０から取得した発信時間と、ユーザインタフェース制御部１７１から伝達された電話番号と、ステップＳ１５又はステップＳ１６において設定した不在情報とを、発信履歴更新部１７３に伝達する（ステップＳ１７）。
【０１０５】
発信履歴更新部１７３は、ステップＳ１２において伝達されたＥメールアドレス又はステップＳ１７において伝達された電話番号とアドレス帳１０００において対応付けられた名称を取得し、取得した名称を伝達されたＥメールアドレス、又は電話番号が示す通信相手と特定する（ステップＳ１８）。
【０１０６】
発信履歴更新部１７３は、ステップＳ１２において伝達された発信時間とステップＳ１８で特定した通信相手と対応付けた履歴情報をメール発信履歴２１００に記録し、又は、ステップＳ１７で伝達された発信時間及び不在情報とステップＳ１８で特定した通信相手とを対応付けた履歴情報を電話発信履歴２０００に記録し（ステップＳ１９）、発信制御処理を終了する。
【０１０７】
＜着信制御処理＞
図６は、携帯電話機１００による電話又はメールの着信制御処理手順を示すフローチャートである。
【０１０８】
着信処理部１７４は、無線通信部１６０を介して受信した着信信号に基づいて、通信相手を特定し、計時部１２０から取得した着信時間と特定した通信相手とを判定部１７５と着信履歴更新部１７６とに伝達すると共に、着信履歴更新部１７６へは更に、着信の種類（電話着信又はメール着信）を示す情報を伝達する（ステップＳ２０）。通信相手の特定に関し、より詳細には、着信信号から発信元の電話番号又はＥメールアドレスを特定し、特定した電話番号又はＥメールアドレスとアドレス帳１０００において対応付けられた名称を取得し、取得した名称を通信相手と特定する。
【０１０９】
判定部１７５は、着信処理部１７４から伝達された通信相手と同一の通信相手への発信（以下、「先行電話発信」という）の履歴情報が電話発信履歴２０００に記録されているかを、直近の履歴情報から順に検索し、判定する（ステップＳ２１）。
【０１１０】
ステップＳ２１において、先行電話発信の履歴情報が記録されている場合には（ステップＳ２１：Ｙ）、判定部１７５は、その先行電話発信の履歴情報に、通信相手が応答しなかったことを示す不在情報（“１”の不在情報）が含まれているかを判定する（ステップＳ２２）。通信相手が応答しなかった発信後にあった着信を、通常の着信とは異なる着信音での報知の候補とするためである。
【０１１１】
ステップＳ２２において、通信相手が応答しなかったことを示す不在情報が含まれている場合には（ステップＳ２２：Ｙ）、判定部１７５は、その先行電話発信の履歴情報に含まれている発信時間以降の、着信処理部１７４から伝達された通信相手と同一の通信相手からの着信（以下、「後続着信」という）の履歴情報が、電話着信履歴２２００とメール着信履歴２３００とのいずれかに記録されているかを判定する（ステップＳ２３）。通信相手が応答しなかった発信後のその通信相手からの最初の着信を、通常の着信とは異なる着信音で報知するためである。
【０１１２】
ステップＳ２３において、後続着信の履歴情報が記録されていない場合には（ステップＳ２３：Ｎ）、判定部１７５は、折り返しの着信であることを示す判定結果を報知制御部１７７に伝達し、報知制御部１７７は、音出力部１５０に、折り返しの着信の際の着信音で着信を報知させる（ステップＳ２４）。
【０１１３】
着信履歴更新部１７６は、ステップＳ２０において着信処理部１７４から伝達された着信の種類（電話着信又はメール着信）に応じて、対応する着信履歴（電話着信履歴２２００又はメール着信履歴２３００）に、着信処理部１７４から伝達された着信時間と通信相手とを対応付けた履歴情報を記録し（ステップＳ２５）、着信制御処理を終了する。
【０１１４】
ステップＳ２１において、先行電話発信の履歴情報が記録されていない場合（ステップＳ２１：Ｎ）、及び、ステップＳ２２において、通信相手が応答しなかったことを示す不在情報が含まれていない場合には（ステップＳ２２：Ｎ）、判定部１７５は、ステップＳ２０において着信処理部１７４から伝達された通信相手と同一の通信相手への発信（以下、「先行メール発信」という）の履歴情報がメール発信履歴２１００に記録されているかを判定する（ステップＳ２６）。メール発信後のその通信相手からの着信を、通常の着信とは異なる着信音での報知の候補とするためである。
【０１１５】
ステップＳ２６において、先行メール発信の履歴情報が記録されている場合には（ステップＳ２６：Ｙ）、ステップＳ２３に進む。
【０１１６】
またステップＳ２６において、先行メール発信の履歴情報が記録されていない場合（ステップＳ２６：Ｎ）、及びステップＳ２３において、後続着信の履歴情報が記録されている場合には（ステップＳ２３：Ｙ）、判定部１７５は、折り返しの着信でないことを示す判定結果を報知制御部１７７に伝達し、報知制御部１７７は、音出力部１５０に、通常の着信の際の着信音で着信を報知させ（ステップＳ２７）、ステップＳ２５に進む。
＜具体例による動作の説明＞
上述した携帯電話機１００の動作について、図５及び図６に示すフローチャートに即して、具体的に説明する。
【０１１７】
＜発信制御処理＞
まず、「２００８／１／９  １０：１０」に「０９０３４５６７８９０」に対し電話発信を行った際に、通信相手からの応答がなかった場合を例に、携帯電話機１００の動作を説明する。なお、電話発信履歴２０００には、図３（ａ）に示す「２００８／１／９  ９：００」の発信履歴のみが記録されているものとし、メール発信履歴２１００には、同図（ｂ）に示す「２００８／１／９  ９：３０」の発信履歴のみが記録されているものとする。
【０１１８】
発信処理部１７２は、ユーザインタフェース制御部１７１から伝達された、発信の種類を示す情報に基づき、電話発信及びメール発信のうちのいずれの発信かを判定し（ステップＳ１０）、この例では電話発信であるため（ステップＳ１０：電話）、発信処理部１７２は、ユーザインタフェース制御部１７１から伝達された電話番号（０９０３４５６７８９０）に基づき、電話発信を行う（ステップＳ１３）。
【０１１９】
ステップＳ１３で行った電話発信に対し、発信処理部１７２は、通信相手からの応答があったか否かを判定し（ステップＳ１４）、この例では通信相手からの応答がなかった、即ちユーザインタフェース制御部１７１からオンフックする操作がなされた旨の情報が伝達されるまでに、応答信号を受信しなかったため（ステップＳ１４：Ｎ）、発信処理部１７２は不在情報を「１」とする（ステップＳ１６）。
【０１２０】
発信処理部１７２は、計時部１２０から取得した発信時間（２００８／１／９  １０：１０）と、ユーザインタフェース制御部１７１から伝達された電話番号（０９０３４５６７８９０）と、ステップＳ１６において設定した不在情報（１）とを、発信履歴更新部１７３に伝達する（ステップＳ１７）。
【０１２１】
発信履歴更新部１７３は、ステップＳ１７において伝達された電話番号（０９０３４５６７８９０）とアドレス帳１０００において対応付けられた名称（井上一子）を取得し、取得した名称（井上一子）を伝達された電話番号が示す通信相手と特定する（ステップＳ１８）。
【０１２２】
発信履歴更新部１７３は、ステップＳ１７で伝達された発信時間（２００８／１／９  １０：１０）及び不在情報（１）とステップＳ１８で特定した通信相手（井上一子）とを対応付けた履歴情報を電話発信履歴２０００に記録し（ステップＳ１９）、発信制御処理を終了する。
【０１２３】
＜着信制御処理＞
次に、「２００８／１／９  １０：１２」に「０９０３４５６７８９０」からの電話着信があった場合と、その後「２００８／１／９  １１：０２」に「０９０３４５６７８９０」からの電話着信があった場合とを例に、携帯電話機１００の動作を説明する。なお、電話発信履歴２０００には、図３（ａ）に示す「２００８／１／９  ９：００」と「２００８／１／９  １０：１０」との２つの発信履歴のみが記録されているものとし、メール発信履歴２１００には、同図（ｂ）に示す「２００８／１／９  ９：３０」の発信履歴のみが記録されているものとする。
【０１２４】
また、電話着信履歴２２００には、図４（ａ）に示す「２００８／１／９  ９：１０」の履歴情報のみが記録されており、メール着信履歴２３００には、同図（ｂ）に示す「２００８／１／９  ９：４５」の履歴情報のみが記録されているものとする。
【０１２５】
まず、「２００８／１／９  １０：１２」に「０９０３４５６７８９０」からの電話着信があった場合の動作について説明する。
【０１２６】
着信処理部１７４は、無線通信部１６０を介して受信した着信信号から発信元の電話番号（０９０３４５６７８９０）を特定し、特定した電話番号とアドレス帳１０００において対応付けられた名称（井上一子）を取得する。着信処理部１７４は、取得した名称（井上一子）を通信相手と特定し、計時部１２０から取得した着信時間（２００８／１／９  １０：１２）と特定した通信相手（井上一子）とを判定部１７５と着信履歴更新部１７６とに伝達すると共に、着信履歴更新部１７６へは更に、着信の種類（電話着信）を示す情報を伝達する（ステップＳ２０）。
【０１２７】
判定部１７５は、着信処理部１７４から伝達された通信相手（井上一子）と同一の通信相手への発信（先行電話発信）の履歴情報が電話発信履歴２０００に記録されているかを、直近の履歴情報から順に検索し、判定する（ステップＳ２１）。
【０１２８】
ステップＳ２１において、この例では先行電話発信の履歴情報（「２００８／１／９  １０：１０」の履歴情報）が記録されているため（ステップＳ２１：Ｙ）、判定部１７５は、その先行電話発信の履歴情報に通信相手が応答しなかったことを示す不在情報が含まれているかを判定する（ステップＳ２２）。
【０１２９】
ステップＳ２２において、この例では通信相手が応答しなかったことを示す不在情報が含まれているため（ステップＳ２２：Ｙ）、判定部１７５は、その先行電話発信の履歴情報に含まれている発信時間（２００８／１／９  １０：１０）以降の、着信処理部１７４から伝達された通信相手（井上一子）と同一の通信相手からの着信（後続着信）の履歴情報が、電話着信履歴２２００とメール着信履歴２３００とのいずれかに記録されているかを判定する（ステップＳ２３）。
【０１３０】
ステップＳ２３において、この例では後続着信の履歴情報が記録されていないため（ステップＳ２３：Ｎ）、判定部１７５は、折り返しの着信であることを示す判定結果を報知制御部１７７に伝達し、報知制御部１７７は、音出力部１５０に、折り返しの着信の際の着信音で着信を報知させる（ステップＳ２４）。
【０１３１】
着信履歴更新部１７６は、ステップＳ２０において着信処理部１７４から伝達された着信の種類（電話着信）に応じて、電話着信履歴２２００に、着信処理部１７４から伝達された着信時間（２００８／１／９  １０：１２）と通信相手（井上一子）とを対応付けた履歴情報を記録し（ステップＳ２５）、着信制御処理を終了する。
【０１３２】
次に、上記着信に続いて、「２００８／１／９  １１：０２」に「０９０３４５６７８９０」からの電話着信があった場合の動作について説明する。
【０１３３】
着信処理部１７４は、無線通信部１６０を介して受信した着信信号から発信元の電話番号（０９０３４５６７８９０）を特定し、特定した電話番号とアドレス帳１０００において対応付けられた名称（井上一子）を取得する。着信処理部１７４は、取得した名称（井上一子）を通信相手と特定し、計時部１２０から取得した着信時間（２００８／１／９  １１：０２）と特定した通信相手（井上一子）とを判定部１７５と着信履歴更新部１７６とに伝達すると共に、着信履歴更新部１７６へは更に、着信の種類（電話着信）を示す情報を伝達する（ステップＳ２０）。
【０１３４】
判定部１７５は、着信処理部１７４から伝達された通信相手（井上一子）と同一の通信相手への発信（先行電話発信）の履歴情報が電話発信履歴２０００に記録されているかを、直近の履歴情報から順に検索し、判定する（ステップＳ２１）。
【０１３５】
ステップＳ２１において、この例では先行電話発信の履歴情報（「２００８／１／９  １０：１０」の履歴情報）が記録されているため（ステップＳ２１：Ｙ）、判定部１７５は、その先行電話発信の履歴情報に通信相手が応答しなかったことを示す不在情報が含まれているかを判定する（ステップＳ２２）。
【０１３６】
ステップＳ２２において、この例では通信相手が応答しなかったことを示す不在情報が含まれているため、（ステップＳ２２：Ｙ）、判定部１７５は、その先行電話発信の履歴情報に含まれている発信時間（２００８／１／９  １０：１０）以降の、着信処理部１７４から伝達された通信相手（井上一子）と同一の通信相手からの着信（後続着信）の履歴情報が、電話着信履歴２２００とメール着信履歴２３００とのいずれかに記録されているかを判定する（ステップＳ２３）。
【０１３７】
ステップＳ２３において、この例では電話着信履歴２２００に、後続着信の履歴情報（「２００８／１／９  １０：１２」の履歴情報）が記録されているため（ステップＳ２３：Ｙ）、判定部１７５は、折り返しの着信でないことを示す判定結果を報知制御部１７７に伝達し、報知制御部１７７は、音出力部１５０に、通常の着信の際の着信音で着信を報知させる（ステップＳ２７）。
【０１３８】
着信履歴更新部１７６は、ステップＳ２０において着信処理部１７４から伝達された着信の種類（電話着信）に応じて、電話着信履歴２２００に、着信処理部１７４から伝達された着信時間（２００８／１／９  １１：０２）と通信相手（井上一子）とを対応付けた履歴情報を記録し（ステップＳ２５）、着信制御処理を終了する。
【０１３９】
このように、実施の形態１に係る携帯電話機１００は、自機の発信に対する折り返しの着信を待っている通信相手から、その発信後の最初の着信があった場合にのみ、折り返しの着信であるとして、通常の着信とは異なる着信音で報知する。従って、携帯電話機１００のユーザは、折り返しの着信であることを、着信音の違いにより容易に判断することができるようになる。
≪変形例１≫
以下では、実施の形態１に係る携帯電話機１００の判定部１７５が折り返しの着信か否かを判定する際の判定条件として、更に、先行電話発信（ただし“１”の不在情報を含むもののみ）の履歴情報の数と先行メール発信の履歴情報の数の合計（以下、「先行発信の履歴情報の数」という）が、所定数以上あるか否かを判定するように替えた一変形例について説明する。なお、先行電話発信と先行メール発信とをまとめていう場合に、以下では、「先行発信」という。
【０１４０】
変形例１に係る携帯電話機は、上述の携帯電話機１００の判定部１７５の機能を若干変更したものであるため、ここでは、変更部分についてのみ説明する。
【０１４１】
図７は、変形例１に係る携帯電話機による電話又はメールの着信制御処理手順を示すフローチャートである。
【０１４２】
同図に示す、ステップＳ３０及びステップＳ３１の処理が、実施の形態１に係る携帯電話機１００による電話又はメールの着信制御処理手順と異なるため、以下では、上記処理と関連する部分についてのみ説明する。
【０１４３】
ステップＳ２２において、先行電話発信の履歴情報に、通信相手が応答しなかったことを示す不在情報が含まれている場合（ステップＳ２２：Ｙ）、又は、ステップＳ２６において、先行メール発信の履歴情報が記録されている場合には（ステップＳ２６：Ｙ）、変形例１に係る判定部は、先行発信の発信履歴の数が、所定数（例えば３つ）以上であるかを判定する（ステップＳ３０）。
【０１４４】
ステップＳ３０において、先行発信の発信履歴の数が、所定数未満である場合には（ステップＳ３０：Ｎ）、ステップＳ２７に進み、先行発信の発信履歴の数が、所定数以上である場合には（ステップＳ３０：Ｙ）、変形例１に係る判定部は、直近の先行発信の発信履歴に含まれる発信時間以降の、着信時間を含む着信（後続着信）の履歴情報が、電話着信履歴２２００とメール着信履歴２３００とのいずれかに記録されているかを判定する（ステップＳ３１）。
【０１４５】
ステップＳ３１において、後続着信の履歴情報が記録されていない場合には（ステップＳ３１：Ｎ）、判定部１７５は、折り返しの着信であることを示す判定結果を報知制御部１７７に伝達し、ステップＳ２４に進み、後続着信の履歴情報が記録されている場合には（ステップＳ３１：Ｙ）、判定部１７５は、折り返しの着信でないことを示す判定結果を報知制御部１７７に伝達し、ステップＳ２７に進む。
【０１４６】
このように、変形例１に係る携帯電話機は、自機から所定数以上の電話又はメールの発信を行い、折り返しの着信を待っている通信相手からのその発信後の最初の着信があった場合に、折り返しの着信であるとして、通常の着信とは異なる着信音で報知する。従って、例えば、急用で通信相手に所定数以上電話発信した際に、それぞれの発信に対して通信相手が応答しなかった場合に、最後の電話発信後のその通信相手からの最初の着信で、通常の着信とは異なる着信音で報知するので、変形例１に係る携帯電話機のユーザは、特に連絡を待っている通信相手からの折り返しの着信であることを、着信音の違いにより容易に判断することができるようになる。
【０１４７】
変形例１の携帯電話機の更なる変形例として、上述のステップＳ３０において、各先行発信の履歴情報が時間的に連続していること（間に他の通信相手への発信がないこと）や、各先行発信の履歴情報のうち、最初と最後の発信の履歴情報に含まれる発信時間の間隔が、所定時間（例えば１０分）以内であることを条件に加えてもよい。
≪変形例２≫
以下では、実施の形態１に係る携帯電話機１００の判定部１７５が折り返しの着信か否かを判定する際の判定条件として、更に、先行発信後、所定時間（例えば２４時間）以内の後続着信であるか否かを判定するように替えた一変形例について説明する。
【０１４８】
変形例２に係る携帯電話機は、上述の携帯電話機１００の判定部１７５の機能を若干変更したものであるため、ここでは、変更部分についてのみ説明する。
【０１４９】
図８は、変形例２に係る携帯電話機による電話又はメールの着信制御処理手順を示すフローチャートである。
【０１５０】
同図に示す、ステップＳ４０の処理が、実施の形態１に係る携帯電話機１００による電話又はメールの着信制御処理手順と異なるため、以下では、上記処理と関連する部分についてのみ説明する。
【０１５１】
ステップＳ２２において、先行電話発信の履歴情報に、通信相手が応答しなかったことを示す不在情報が含まれている場合（ステップＳ２２：Ｙ）、又は、ステップＳ２６において、先行メール発信の履歴情報が記録されている場合には（ステップＳ２６：Ｙ）、変形例２に係る判定部は、着信が、先行発信後、所定時間（例えば２４時間）以内の後続着信であるかを判定する（ステップＳ４０）。
【０１５２】
ステップＳ４０において、先行発信後、所定時間以内の後続着信でない場合には（ステップＳ４０：Ｎ）、ステップＳ２７に進み、先行発信後、所定時間以内の後続着信である場合には（ステップＳ３０：Ｙ）、ステップＳ２３に進む。
【０１５３】
以下、「２００８／１／１２  ７：１５」に「０９０１２３４５６７８」からの電話着信があったときに動作について簡単に説明する。なお、電話発信履歴２０００には、図３（ａ）に示す４つの発信履歴が、メール発信履歴２１００には、同図（ｂ）に示す２つの発信履歴が記録されており、また、電話着信履歴２２００には、図４（ａ）に示す「２００８／１／９」分の４つの履歴情報が記録されており、メール着信履歴２３００には、同図（ｂ）に示す１つの履歴情報が記録されているものとする。
【０１５４】
この例では、先行電話発信の履歴情報（「２００８／１／１０  １１：４５」の履歴情報）に通信相手が応答しなかったことを示す不在情報が含まれているため（ステップＳ２２：Ｙ）、ステップＳ４０に進み、ステップＳ４０において、先行発信後、所定時間（例えば２４時間）以内の後続着信でないため（ステップＳ４０：Ｎ）、報知制御部１７７は、音出力部１５０に、通常の着信の際の着信音で着信を報知させることになる（ステップＳ２７）。
【０１５５】
このように、先行発信から、数日経過したような場合には、別の方法で先行発信の通信相手と連絡を取っている場合等もある。変形例２に係る携帯電話機は、自機のユーザがもはや先行発信の通信相手からの連絡を待っていないような場合にあった後続着信に対し、通常の着信と区別した報知をしないで済む。
≪変形例３≫
以下では、実施の形態１に係る携帯電話機１００の判定部１７５が折り返しの着信か否かを判定する際の判定条件として、更に、アドレス帳１０００に記録された通信相手からの着信か否かを判定するように替えた一変形例について説明する。
【０１５６】
変形例３に係る携帯電話機は、上述の携帯電話機１００の判定部１７５の機能を若干変更したものであるため、ここでは、変更部分についてのみ説明する。
【０１５７】
図９は、変形例３に係る携帯電話機による電話又はメールの着信制御処理手順を示すフローチャートである。
【０１５８】
同図に示す、ステップＳ５０の処理が、実施の形態１に係る携帯電話機１００による電話又はメールの着信制御処理手順と異なるため、以下では、上記処理と関連する部分についてのみ説明する。
【０１５９】
変形例３に係る判定部は、ステップＳ２０において着信処理部１７４から伝達された通信相手がアドレス帳１０００に記録された通信相手なのかを判定し（ステップＳ５０）、アドレス帳１０００に記録された通信相手でない場合には（ステップＳ５０：Ｎ）、ステップＳ２５に進み、アドレス帳１０００に記録された通信相手である場合には（ステップＳ５０：Ｙ）、ステップＳ２１に進む。
【０１６０】
これにより、変形例３に係る携帯電話機は、アドレス帳１０００に記録されていない通信相手からの着信については、通常の着信の際の着信音で報知するため、アドレス帳１０００に記憶されていない、例えば自機のユーザと親しくない通信相手からの後続着信について、通常の着信と区別した報知をしないで済む。
【０１６１】
変形例３の携帯電話機の更なる変形例として、アドレス帳１０００の各連絡先について、複数のグループのうちのいずれかのグループに属するように分類して記録できるようにし、所定のグループに属する通信相手からの着信でない場合には、通常の着信の際の着信音で報知するようにしてもよい。グループとしては、例えば、各通信相手と自機のユーザとの関係を表すものとして、“家族”、“友人”、“会社”といったグループを作成しておき、“家族”グループに属する通信相手（つまり家族）からの着信でない場合には、通常の着信の際の着信音で報知するようにしてもよい。
【０１６２】
また、変形例３の携帯電話機の別の変形例として、自機のユーザがアドレス帳１０００から個別に選択した、又は電話番号やＥメールアドレスを個別に登録することにより選択した通信相手からの着信でない場合には、通常の着信の際の着信音で報知するようにしてもよい。
≪変形例４≫
以下では、実施の形態１に係る携帯電話機１００の判定部１７５が折り返しの着信か否かを判定する際の判定条件として、更に、発信回数の順位が所定順位内の通信相手からの着信か否かを判定するように替えた一変形例について説明する。
【０１６３】
変形例４に係る携帯電話機は、上述の携帯電話機１００の判定部１７５及び着信履歴更新部１７６の機能と、アドレス帳１０００のデータ構成とを若干変更したものであるため、ここでは、変更部分についてのみ説明する。
【０１６４】
まず、変形例４に係る携帯電話機が使用するアドレス帳１０１０について説明する。
【０１６５】
図１０は、アドレス帳１０１０のデータ構成及び内容例を示す図である。
【０１６６】
同図に示すように、アドレス帳１０１０は、通信相手となる連絡先毎に、名称１００１と電話番号１００２とＥメールアドレス１００３と発信回数１０１１と順位１０１２とが対応付けて記録されている。名称１００１と電話番号１００２とＥメールアドレス１００３とについては、アドレス帳１０００と同様であるため、説明は省略する。
【０１６７】
ここで、発信回数１０１１は、対応する通信相手への電話発信及びメール発信の合計回数であり、順位１０１２は、各連絡先への発信回数を降順に並べた場合の、その通信相手の発信回数の順位である。
【０１６８】
同図は、例えば、名称が「井上一子」である人が所有する携帯電話機の電話番号は「０９０３４５６７８９０」であり、Ｅメールアドレスが「ｉｃｈｉｋｏ＠ａａａ．ｃｏｍ」であり、発信回数は「１２０」であり、全連絡先中での発信回数の順位は「２」であることを示している。
【０１６９】
次に、変形例４に係る携帯電話機の動作を説明する。
【０１７０】
図１１は、変形例４に係る携帯電話機による電話又はメールの着信制御処理手順を示すフローチャートである。
【０１７１】
同図に示す、ステップＳ６０〜ステップＳ６２の処理が、実施の形態１に係る携帯電話機１００による電話又はメールの着信制御処理手順と異なるため、以下では、上記処理と関連する部分についてのみ説明する。
【０１７２】
変形例４に係る判定部は、ステップＳ２０において着信処理部１７４から伝達された通信相手への発信回数の順位が所定順位（例えば３位）以内であるかをアドレス帳１０１０に基づき判定する（ステップＳ６０）。詳細には、着信処理部１７４から伝達された通信相手とアドレス帳１０１０において対応付けられた順位を取得し、取得した順位が所定順位以内であるかを判定する。
【０１７３】
ステップＳ６０において、通信相手の発信回数の順位が所定順位以内でない場合には（ステップＳ６０：Ｎ）、ステップＳ２５に進み、通信相手への発信回数の順位が所定順位以内である場合には（ステップＳ６０：Ｙ）、ステップＳ２１に進む。
【０１７４】
また、ステップＳ２５において着信履歴を記録した後、変形例４に係る着信履歴更新部は、ステップＳ２０において伝達された通信相手のアドレス帳１０１０における発信回数を１増加させ（ステップＳ６１）、各通信相手の発信回数の順位を再計算し、必要に応じて順位を更新する（ステップＳ６２）。つまり、ステップＳ６１で発信回数を１増加させているので、それによって順位が変動する場合には、順位を更新する。
【０１７５】
これにより、変形例４に係る携帯電話機は、発信回数の頻度が低い通信相手からの着信については、通常の着信の際の着信音で報知させることができるため、発信回数の頻度が低い、比較的自機のユーザと親しくないと考えられる通信相手からの後続着信について、通常の着信と区別した報知をしないで済む。
≪変形例５≫
＜概要＞
実施の形態１に係る携帯電話機１は、自機の発信に対する折り返しの着信を待っている通信相手から、その発信後の最初の着信があった場合にのみ、折り返しの着信であるとして、通常の着信とは異なる着信音で報知するものとして説明した。
【０１７６】
以下では、“最初”の着信に限らず、自機の発信に対する折り返しの着信を待っている通信相手からの２回目以降の着信であっても、発信からその２回目以降の着信までにあった同一の通信相手からの着信に対し自機のユーザが応答していないときは、折り返しの着信の際の着信音で報知するように替えた一変形例を説明する。
＜構成＞
図１２は、本発明の変形例５に係る携帯電話機２００の機能ブロック図である。
【０１７７】
携帯電話機２００は、実施の形態１に係る携帯電話機１００の制御部１７０の機能の一部を若干変更した制御部２１０を備えるものであり、ここでは、変更部分についてのみ説明する。
【０１７８】
携帯電話機２００の制御部２１０は、発信処理部１７２、発信履歴更新部１７３、報知制御部１７７、ユーザインタフェース制御部２１１、着信処理部２１２、判定部２１３、着信履歴更新部２１４を備える。発信処理部１７２、発信履歴更新部１７３、報知制御部１７７は実施の形態１に係る携帯電話機１００と同様であるため、説明は省略する。
【０１７９】
ここで、ユーザインタフェース制御部２１１は、携帯電話機１００のユーザインタフェース制御部１７１の機能に加え、更に、電話着信に応答するユーザ操作がなされた場合には、その旨の情報を着信処理部２１２に伝達する機能を有する。
【０１８０】
また、着信処理部２１２は、携帯電話機１００の着信処理部１７４の機能に加え、更に電話着信である場合に、その着信に自機のユーザが応答したか否かを判定し、その判定結果である不在情報を着信履歴更新部２１４に伝達する機能を有する。この判定は、ユーザインタフェース制御部２１１から電話着信に応答する操作がなされたことを示す情報が伝達されたか否かにより行う。
【０１８１】
判定部２１３は、携帯電話機１００の判定部１７５による折り返しの着信であるか否かの判定方法の一部を変更したものである。具体的には、着信があった場合に、その着信と同一の通信相手への発信（先行発信）後その着信以前に、その着信と同一の通信相手からの電話着信（電話の後続着信）があっても、その電話の後続着信に対し自機のユーザが応答していないときは、折り返しの着信であることを示す判定結果を報知制御部１７７に伝達する。
【０１８２】
着信履歴更新部２１４は、携帯電話機１００の着信履歴更新部１７６の機能に加え、判定部２１３から不在情報が伝達された場合に、不在情報を含む履歴情報を記憶部１１０の電話着信履歴領域１１４に記録する機能を有する。
＜データ＞
変形例５に係る電話着信履歴２２１０について説明する。
【０１８３】
図１３は、電話着信履歴２２１０のデータ構成及び内容例を示す図である。
【０１８４】
同図に示すように、電話着信履歴２２１０は、着信毎に、着信時間２２０１と通信相手２２０２と不在情報２２１１とが対応付けて記録されたものである。着信時間２２０１と通信相手２２０２については、実施の形態１に係る電話着信履歴２２００と同様であるため説明は省略する。
【０１８５】
ここで、不在情報２２１１は、自機のユーザが電話着信に応答したか否かを示す情報であり、実施の形態１に係る電話発信履歴２０００の不在情報２００３と同様、応答がなかった場合を「１」とし、応答があった場合を「０」としている。
【０１８６】
同図は、例えば、着信時間が「２００８／１／９  ９：１０」である電話着信の通信相手は「井上一子」であり、不在情報は「０」、即ちこの着信に対し自機のユーザが応答したことを示している。また、例えば、着信時間が「２００８／１／９  １０：１２」である電話着信の通信相手は「井上一子」であり、不在情報は「１」、即ちこの着信に対し自機のユーザが応答しなかったことを示している。
＜動作＞
次に、上記構成を備える携帯電話機２００の動作について、図１４を用いて説明する。
【０１８７】
図１４は、携帯電話機２００による電話又はメールの着信制御処理手順を示すフローチャートである。
【０１８８】
同図に示す、ステップＳ７０〜ステップＳ７５の処理が、実施の形態１に係る携帯電話機１００による電話又はメールの着信制御処理手順と異なるため、以下では、上記処理と関連する部分についてのみ説明する。
【０１８９】
ステップＳ２３において、後続着信の着信履歴が記録されている場合には（ステップＳ２３：Ｙ）、判定部２１３は、その後続着信の着信履歴に自機のユーザが応答しなかったことを示す不在情報が含まれているかを判定し（ステップＳ７０）、不在情報が含まれている場合には（ステップＳ７０：Ｙ）、ステップＳ２４に進み、不在情報が含まれていない場合には（ステップＳ７０：Ｎ）、ステップＳ２７に進む。
【０１９０】
また、ステップＳ２４又はステップＳ２７において報知を行うと、着信処理部２１２は、着信の種類（電話着信又はメール着信）を判定し（ステップＳ７１）、発信の種類がメールである場合には（ステップＳ７１：メール）、ステップＳ７５に進み、発信の種類が電話である場合には（ステップＳ７１：電話）、着信に対し、自機のユーザが応答したか否かを判定する（ステップＳ７２）。
【０１９１】
自機のユーザが応答した場合、即ち、ユーザインタフェース制御部２１１から電話着信に応答する操作がなされたことを示す情報が伝達された場合には（ステップＳ７２：Ｙ）、着信処理部２１２は不在情報（０）を着信履歴更新部２１２に伝達し（ステップＳ７３）、ステップＳ７５に進む。
【０１９２】
ステップＳ７２において、自機のユーザが応答しなかった場合、即ち、ユーザインタフェース制御部２１１から電話着信に応答する操作がなされたことを示す情報が伝達されなかった場合には（ステップＳ７２：Ｎ）には、発信処理部１７２は不在情報（１）を着信履歴更新部２１４に伝達し（ステップＳ７４）、ステップＳ７５に進む。
【０１９３】
着信履歴更新部２１４は、ステップＳ２０において着信処理部１７４から伝達された着信の種類（電話着信又はメール着信）に応じて、対応する着信履歴（電話着信履歴２２１０又はメール着信履歴２３００）に着信履歴を記録し（ステップＳ７５）、着信制御処理を終了する。着信履歴の記録についてより詳細には、電話着信の場合には、ステップＳ２０において着信処理部１７４から伝達された着信時間及び通信相手とステップＳ７３又はステップＳ７４において着信処理部１７４から伝達された不在情報とを対応付けた着信履歴を電話着信履歴２２１０に記録する。また、メール着信の場合には、ステップＳ２０において着信処理部１７４から伝達された着信時間と通信相手とを対応付けた履歴情報をメール着信履歴２３００に記録する。
＜具体例による動作の説明＞
上述した携帯電話機２００の動作について、図１４に示すフローチャートに即して、具体的に説明する。
【０１９４】
以下では、「２００８／１／９  １１：０２」に「０９０３４５６７８９０」からの電話着信があり、自機のユーザが応答した場合を例に説明する。なお、電話発信履歴２０００には、図３（ａ）に示す「２００８／１／９  ９：００」と「２００８／１／９  １０：１０」との２つの発信履歴のみが記録されているものとし、メール発信履歴２１００には、同図（ｂ）に示す「２００８／１／９  ９：３０」の発信履歴がされているものとする。
【０１９５】
また、電話着信履歴２２１０には、図１３に示す「２００８／１／９  ９：１０」と「２００８／１／９  １０：１２」との２つの着信履歴が記録されており、メール着信履歴２３００には、同図（ｂ）に示す「２００８／１／９  ９：４５」の着信履歴がされているものとする。
【０１９６】
ステップＳ２０〜ステップＳ２３までは、実施の形態１において行った具体例による動作の説明と同様であるため、説明は省略する。
【０１９７】
ステップＳ２３において、この例では電話着信履歴２２１０に後続着信の着信履歴（「２００８／１／９  １０：１２」の着信履歴）が記録されているため（ステップＳ２３：Ｙ）、判定部２１３は、その後続着信の着信履歴に自機のユーザが応答しなかったことを示す不在情報が含まれているかを判定し（ステップＳ７０）、この例では不在情報が含まれているため（ステップＳ７０：Ｙ）、判定部２１３は、折り返しの着信であることを示す判定結果を報知制御部１７７に伝達し、報知制御部１７７は、音出力部１５０に、折り返しの着信の際の着信音で着信を報知させる（ステップＳ２４）。
【０１９８】
着信処理部２１２は、着信の種類（電話着信又はメール着信）を判定し（ステップＳ７１）、この例では発信の種類が電話であるため（ステップＳ７１：電話）、着信に対し、自機のユーザが応答したか否かを判定する（ステップＳ７２）。
【０１９９】
この例では自機のユーザが応答したため、即ち、ユーザインタフェース制御部２１１から電話着信に応答する操作がなされたことを示す情報が伝達されているため（ステップＳ７２：Ｙ）、着信処理部２１２は不在情報（０）を着信履歴更新部２１４に伝達する（ステップＳ７３）。
【０２００】
着信履歴更新部２１４は、ステップＳ２０において着信処理部１７４から伝達された着信時間（２００８／１／９  １１：０２）と通信相手（井上一子）とステップＳ７３において着信処理部１７４から伝達された不在情報（０）とを対応付けた履歴情報を電話着信履歴２２１０に記録し（ステップＳ７５）、着信制御処理を終了する。
【０２０１】
このように、変形例５に係る携帯電話機２００は、自機の発信に対する折り返しの着信を待っている通信相手から、その発信後の最初の着信（電話着信）があった場合に、自機のユーザが応答できなかったときは、その後にまた同じ通信相手からの着信があった際に、再度、折り返しの着信の際の着信音により報知することができる。
【０２０２】
更に、変形例５の携帯電話機２００の変形例として、上述の電話着信と同様に、メール着信に関しても、自機のユーザが応答したか、例えばそのメールを閲覧したか否かを判定し、その判定結果を示す不在情報を、メール着信履歴に記録するようにしてもよい。これにより、先行発信に対するメールの後続着信があった場合に、自機のユーザがそのメールを閲覧していないときは、その後の後続着信があると、折り返し着信の際の着信音により報知することができる。
＜補足＞
（１）実施の形態１及び各変形例における発信処理部と発信履歴更新部と記憶部が記憶する各発信履歴は、本発明における発信履歴記憶手段に相当し、着信処理部と着信履歴更新部と記憶部が記憶する各着信履歴は、本発明における着信履歴記憶手段に相当し、また、判定部は、本発明における第１判定手段と第２判定手段とに相当する。
【０２０３】
（２）実施の形態１では、電話発信履歴２０００及びメール発信履歴２１００に記録されている全ての発信の履歴情報に基づいて、折り返しの着信であるかを判定するものとして説明したが、直近の発信から順に所定数分（例えば３つ）の発信履歴のみに基づいて折り返しの着信であるかを判定することとしてもよい。
【０２０４】
（３）実施の形態１においては、電話発信を行った場合に、応答信号の受信の有無により、通信相手が応答したか否かを判定するものとして説明したが、課金信号の受信の有無により判定してもよい。発信後、ユーザによるオンフックする操作がなされる前に課金信号を受信した場合には、通信相手が応答したものと判定できる。
【０２０５】
また、通信相手が応答できないことを示す音声メッセージの受信の有無により判定してもよい。この音声メッセージとしては、着信側の電話機本体において、いわゆる留守番電話の設定がなされている場合に自動的に流される留守番電話の応答メッセージ（例えば、「只今電話に出ることができません」という音声メッセージ）がある。
【０２０６】
着信側から、留守番電話の応答メッセージが流された場合、発信側のユーザは、通信相手が不在であると判断して電話を切る（オンフック操作をする）ことが多いが、そのタイミングでは、既に応答信号及び課金信号が送信されてしまっている場合がある。
【０２０７】
そこで、発信後、ユーザによるオンフックする操作がなされる前に、留守番電話の応答メッセージを受信したかにより通信相手が応答したか否かを判定することで、留守番電話による応答ではなく、実際には通信相手が応答したか否かを判定できる。
【０２０８】
ただし、この方法では、実施の形態１に係る携帯電話機に、通信相手から受信した音声メッセージを認識させるための一般的な音声認識機能を持たせる必要がある。
【０２０９】
（４）実施の形態１では、先行発信と後続着信の種類を限定することなく、電話とメールとのいずれでもよいものとして説明したが、いずれかに限定することとしてもよく、またその限定は、通信相手毎に設定できることにしてもよい。例えば、「井上一子」に対しては電話先行発信と電話の後続着信のみとし、「斉藤二郎」に対しては、メールの先行発信と全ての後続着信としてもよい。
【０２１０】
（５）実施の形態１では、折り返しの着信と通常の着信とで着信音を変えて報知する例を説明したが、折り返しの着信と通常の着信とで報知の態様が異なれば、いずれの態様により報知してもよい。例えば、折り返しの着信と通常の着信とで、着信メロディー、振動パターン、ランプの点灯パターンや色や点灯速度を変えて報知してもよい。
【０２１１】
また、一般的な携帯電話機においては、通信相手毎に着信音等を設定できる機能を有しているが、その機能と本発明に係る携帯電話の機能との組み合わせることも可能である。即ち、例えば、同一の通信相手について、通常の着信の際には、予め設定されているその通信相手の着信音等で報知し、折り返しの着信の際には、予め設定されているその通信相手の着信音等で報知すると共に振動させ、又は、予め設定されている着信音等の再生速度や音量や再生時間や調を変えて報知するといったことが可能である。
【０２１２】
（６）実施の形態１では、各発信履歴と各着信履歴とに電話番号又はＥメールアドレスに対応する連絡先の名称を記録するものとして説明したが、電話番号又はＥメールアドレスをそのまま記録してもよいし、名称と電話番号又はＥメールアドレスとを共に記録してもよい。また、アドレス帳に更に、各連絡先を識別するための識別情報（例えば固有値）を記録するようにし、その識別情報を記録するようにしてもよい。
【０２１３】
なお、名称を記録しない場合には、折り返しの着信か否かの判定の際に、各発信履歴と各着信履歴とに記録されている各履歴情報について、同一の通信相手を示すのかをアドレス帳を参照し判定する必要がある。
【０２１４】
（７）実施の形態１では、自機の電話発信に対する通信相手からの応答の有無について、ユーザインタフェース制御部１７１からオンフックする操作がなされた旨の情報が伝達されるまでに応答信号を受信したか否かにより判定するものとして説明したが、発信後、オンフックする操作がなされた旨の情報が伝達されるまでの時間が所定時間（例えば３秒）以上経過しているか否かを判定することとしてもよい。つまり、発信から所定時間を経過する前に、オンフック操作がなされた場合には、不在情報を“０”として電話の履歴情報を記録し、または、履歴情報を記録しないこととしてもよい。これにより、誤発信の通信相手からの着信に対し、他の発信と区別して報知しないので、ユーザは、連絡を待っている相手からの着信であると混同しないで済む。
【０２１５】
（８）変形例５では、先行発信後、最初の後続着信に対し、自機のユーザが応答できなかったときは、その後の後続着信の際に、再度、折り返しの着信の際の着信音により報知するものとして説明したが、最初の後続着信とその後の後続着信とを異なる態様で報知するようにしてもよい。さらに、最初の後続着信以降の後続着信のいずれに対しても自機のユーザが応答しなかった場合には、何回目の後続着信かにより、異なる態様で報知するようにしてもよい。これにより、着信の際、ユーザの注意を引くことができる。
【０２１６】
（９）変形例５では、先行発信後、最初の後続着信に対し、自機のユーザが応答できなかったときは、その後の後続着信の際に、再度、折り返しの着信の際の着信音により報知するものとして説明したが、その後の後続着信がなくても、例えば最初の後続着信から所定時間を経過する毎に、折り返しの着信の際の着信音で再報知することとしてもよい。また、この際、再報知の回数に応じて、異なる態様で報知することとしてもよい。例えば、折り返しの着信の際の着信音で徐々に音量を大きくして報知してもよい。
【０２１７】
また、最初の後続着信からの経過時間によらず、自機のユーザが、本発明に係る携帯電話機に触れた場合やこの携帯電話機を動かした場合等に、再報知することとしてもよい。ただし、この場合、ユーザが触れたことを検出するためのタッチセンサーや、携帯電話機が動かされたことを検出するための加速度センサー等をこの電話機に搭載する必要がある。
【０２１８】
また、一般的な携帯電話機が既に備えるテンキー等を用いて、ユーザ操作がなされた場合に、再報知することとしてもよい。
【０２１９】
（１０）変形例５においては、先行発信に対する最初の後続着信に対し、自機のユーザが応答しなかった場合には、一律に、その後の後続発信に対し、再度、折り返しの着信の際の着信音で報知するものとして説明したが、以下のような変形も可能である。即ち、自機本体が備える留守番電話機能により、通信相手からのメッセージが残された場合や、そのメッセージが自機のユーザにより再生された場合には、その後の後続発信に対しては、通常の着信の際の着信音で報知するようにしてもよい。
【０２２０】
（１１）各変形例において説明した各機能の全部又は一部を組み合わせてもよい。即ち、例えば、変形例１で説明した機能と、変形例５で説明した機能とを組み合わせることにより、所定数以上の先行発信に対する電話の後続着信に対し、自機のユーザが応答しなかった場合には、その電話の後続着信後の後続着信を、折り返しの着信の際の着信音で報知することにしてもよい。また、各機能の全部又は一部を組み合わせる場合に、その機能のうちのいずれの機能を使用させるかを、通信相手毎に設定できるようにしてもよい。例えば、「井上一子」に対しては変形例１の機能のみを適用し、「斉藤二郎」に対しては、変形例１と変形例２の機能のいずれをも適用するとしてもよい。
【０２２１】
（１２）実施の形態１及び各変形例において説明した各構成要素のうち、全部又は一部を１チップ又は複数チップの集積回路で実現してもよいし、コンピュータのプログラムで実現してもよいし、その他どのような形態で実現してもよい。
【産業上の利用可能性】
【０２２２】
本発明に係る携帯通信端末は、外部通信機器からの着信を、より有効に報知するために利用される。
【図面の簡単な説明】
【０２２３】
【図１】本発明の実施の形態１に係る携帯電話機１００の機能ブロック図である。
【図２】アドレス帳１０００のデータ構成及び内容例を示す図である。
【図３】（ａ）は、電話発信履歴２０００のデータ構成及び内容例を示す図であり、（ｂ）は、メール発信履歴２１００のデータ構成及び内容例を示す図である。
【図４】（ａ）は、電話着信履歴２２００のデータ構成及び内容例を示す図であり、（ｂ）は、メール着信履歴２３００のデータ構成及び内容例を示す図である。
【図５】携帯電話機１００による電話又はメールの発信制御処理手順を示すフローチャートである。
【図６】携帯電話機１００による電話又はメールの着信制御処理手順を示すフローチャートである。
【図７】変形例１に係る携帯電話機による電話又はメールの着信制御処理手順を示すフローチャートである。
【図８】変形例２に係る携帯電話機による電話又はメールの着信制御処理手順を示すフローチャートである。
【図９】変形例３に係る携帯電話機による電話又はメールの着信制御処理手順を示すフローチャートである。
【図１０】アドレス帳１０１０のデータ構成及び内容例を示す図である。
【図１１】変形例４に係る携帯電話機による電話又はメールの着信制御処理手順を示すフローチャートである。
【図１２】本発明の変形例５に係る携帯電話機２００の機能ブロック図である。
【図１３】電話着信履歴２２１０のデータ構成及び内容例を示す図である。
【図１４】携帯電話機２００による電話又はメールの着信制御処理手順を示すフローチャートである。
【符号の説明】
【０２２４】
１００、２００    携帯電話機
１１０    記憶部
１１１    アドレス帳領域
１１２    電話発信履歴領域
１１３    メール発信履歴領域
１１４    電話着信履歴領域
１１５    メール着信履歴領域
１２０    計時部
１３０    操作部
１４０    表示部
１５０    音出力部
１６０    無線通信部
１７０、２１０    制御部
１７１、２１１    ユーザインタフェース制御部
１７２    発信処理部
１７３    発信履歴更新部
１７４、２１２    着信処理部
１７５、２１３    判定部
１７６、２１４    着信履歴更新部
１７７    報知制御部
【図１】
0005166914.tif 000002
【図２】
0005166914.tif 000003
【図３】
0005166914.tif 000004
【図４】
0005166914.tif 000005
【図５】
0005166914.tif 000006
【図６】
0005166914.tif 000007
【図７】
0005166914.tif 000008
【図８】
0005166914.tif 000009
【図９】
0005166914.tif 000010
【図１０】
0005166914.tif 000011
【図１１】
0005166914.tif 000012
【図１２】
0005166914.tif 000013
【図１３】
0005166914.tif 000014
【図１４】
0005166914.tif 000015